(57)【特許請求の範囲】
【請求項１】
チャネル内の流体から固体廃棄物を除去するための連続ベルトスクリーン組立体において、
一対となるように間隔を空けて対向しているエンドレスベルトと、
各々が前記一対のベルトに作動可能に設置され、前記チャネル内の前記流体から固体廃棄物を持ち上げるように構成された複数のリフターと、
各々が前記一対のリフターの間に配置され、前記リフターと係合することによって所定の場所に固定される複数のスクリーンパネルと、を備えていることを特徴とする連続ベルトスクリーン組立体。
【請求項２】
前記エンドレスベルトの間に延在し、各々が２つの端部を有する複数の軸ピンをさらに備えており、少なくとも１つのリフターが、各々の軸ピンに旋回可能に設置されていることを特徴とする、請求項１に記載の連続ベルトスクリーン組立体。
【請求項３】
各々のリフターが、前記軸ピンに平行であり前記リフターの対向する側にある２つのスロットを画定することで、隣接するリフターからのスロットが互いに向かって開放し、前記複数のスクリーンパネルが、前記スロット内に収容されることで所定の場所に固定されることを特徴とする、請求項２に記載の連続ベルトスクリーン組立体。
【請求項４】
前記スクリーンパネルが、前記スロットの壁によって物理的に遮られることによって前記スロット内で所定の場所に固定されることを特徴とする、請求項３に記載の連続ベルトスクリーン組立体。
【請求項５】
前記スクリーンパネルが、前記エンドレスベルトに対する張力を緩め、前記リフターおよびスクリーンパネルを操作することによって前記スロットから解放させることができることを特徴とする、請求項３に記載の連続ベルトスクリーン組立体。
【請求項６】
各々のエンドレスベルトが、各端部において開口部を各々画定する複数の駆動リンクを備え、各々の開口部が軸ピンを受けることで、一方のエンドレスベルトが、各々の軸ピンの一端に位置決めされ、他方のエンドレスベルトが各々のそれぞれの軸ピンの他端に位置決めされることを特徴とする、請求項２に記載の連続ベルトスクリーン組立体。
【請求項７】
各々の駆動リンクが、前記エンドレスベルトの回転を生じさせるために歯付きの駆動歯車と係合するように構成された歯付きの面を画定し、前記駆動リンクの前記歯付きの面の歯の端部は、インボリュート状の外形を形成するように延在することを特徴とする、請求項６に記載の連続ベルトスクリーン組立体。
【請求項８】
２つの端部を有する複数のベルトリンクをさらに備え、各々のベルトリンクの前記端部は、隣接する軸ピンに各々設置され、各々のベルトリンクは、前記それぞれのベルトリンクが設置される前記軸ピンに実質的に直交することを特徴とする、請求項２に記載の連続ベルトスクリーン組立体。
【請求項９】
各々の軸ピンを旋回するように係合した状態で受ける複数のリフターが存在することを特徴とする、請求項８に記載の連続ベルトスクリーン組立体。
【請求項１０】
ベルトリンクの一端は、前記軸ピンの１つに設置された隣接するリフターの間に配置されていることを特徴とする、請求項９に記載の連続ベルトスクリーン組立体。
【請求項１１】
前記リフターは、前記軸ピンを受けるスリーブ部と、前記スリーブ部から延出し自由端において終端するパドル部とを備えることを特徴とする、請求項２に記載の連続ベルトスクリーン組立体。
【請求項１２】
前記リフターの前記パドル部は、前記スリーブ部の反対側に起伏の付いた縁部を画定することを特徴とする、請求項１１に記載の連続ベルトスクリーン組立体。
【請求項１３】
前記パドル部の前記起伏の付いた縁部は、歯を形成することを特徴とする、請求項１２に記載の連続ベルトスクリーン組立体。
【請求項１４】
前記リフターは、前記ベルトスクリーン組立体が湾曲した経路の周りを進む際にたわむように構成された可撓性の材料を含むことを特徴とする、請求項１１に記載の連続ベルトスクリーン組立体。
【請求項１５】
前記可撓性の材料は、ショアＡ硬度計の７０から９０を有することを特徴とする、請求項１４に記載の連続ベルトスクリーン組立体。
【請求項１６】
前記可撓性の材料はポリウレタンであることを特徴とする、請求項１４に記載の連続ベルトスクリーン組立体。
【請求項１７】
チャネル内の流体から固体廃棄物を除去するための連続ベルトスクリーン組立体において、
一対となるように間隔を空けて対向しているエンドレスベルトと、
各々が前記一対のベルトに作動可能に設置され、前記チャネル内の前記流体から固体廃棄物を持ち上げるように構成された複数のリフターであって、起伏が付いた自由端を画定する複数のリフターと、
各々が、前記一対のリフターの間に配置され、前記エンドレスベルトに作動可能に設置される複数のスクリーンパネルと、を備えていることを特徴とする連続ベルトスクリーン組立体。 
【請求項１８】
前記リフターは各々、軸ピンを受けるスリーブ部と、前記スリーブ部から延出し、前記スリーブ部の反対側で自由端において終端するパドル部とを含み、
各々の軸ピンは、一方のエンドレスベルトに係合する一端と、他方のエンドレスベルトに係合する別の端部とを含んでいることを特徴とする、請求項１７に記載の連続ベルトスクリーン組立体。
【請求項１９】
前記パドル部の起伏の付いた自由端は、歯を形成することを特徴とする、請求項１８に記載の連続ベルトスクリーン組立体。
【請求項２０】
前記リフターは、前記ベルトスクリーン組立体が湾曲した経路の周りを進む際にたわむように構成された可撓性の材料を含むことを特徴とする、請求項１９に記載の連続ベルトスクリーン組立体。
【請求項２１】
前記可撓性の材料は、ショアＡ硬度計の７０から９０を有することを特徴とする、請求項２０に記載の連続ベルトスクリーン組立体。
【請求項２２】
前記可撓性の材料はポリウレタンであることを特徴とする、請求項２０に記載の連続ベルトスクリーン組立体。
【請求項２３】
チャネルの流体から固体廃棄物を除去するための連続ベルトスクリーン組立体のためのリフターにおいて、
軸を受けるように構成されたスリーブ部と、
前記スリーブ部から延出し前記スリーブ部の反対側の起伏の付いた縁部を画定し、前記チャネル内の前記液体から固体廃棄物を持ち上げるように構成されているパドル部と、を備えていることを特徴とするリフター。
【請求項２４】
前記パドル部の前記起伏の付いた縁部は歯を形成することを特徴とする、請求項２３に記載の連続ベルトスクリーン組立体。
【請求項２５】
チャネル内の流体から固体廃棄物を除去するための連続ベルトスクリーン組立体において、
複数の駆動リンクを備え、前記駆動リンクが各々２つの端部を有し各々の端部において開口部を画定し、一対となるように間隔を空けて対向しているエンドレスベルトと、
各々が一方のエンドレスベルトに係合する一端と、他方のエンドレスベルトに係合する別の端部とを含んでおり、隣接する駆動リンクに接続することで前記エンドレスベルトを形成する複数の軸ピンであって、各々の開口部が軸ピンを受けることで、一方のエンドレスベルトが各々の軸ピンの一端に位置決めされ、他方のエンドレスベルトが、各々のそれぞれの軸ピンの他端に位置決めされる複数の軸ピンと、
各々が、前記軸ピンの１つに旋回可能に設置され、前記チャネル内の前記流体から固体廃棄物を持ち上げるように構成される複数のリフターであって、前記各リフターは、互いに向かって開放する隣接するリフターから、前記軸ピンに沿って延びる一対のスロットを画定する複数のリフターと、
各々が一対の隣接するリフターの間に配置され、前記エンドレスベルトに作動可能に設置される複数のスクリーンパネルであって、少なくとも１つの前記スクリーンパネルが前記リフターの間の位置に取外し可能に固定された前記隣接するリフターの前記スロットに受け入れられる、複数のスクリーンパネルと、を備えており、
各々の駆動リンクは、前記エンドレスベルトの回転を生じさせるために歯付きの駆動歯車と係合するように構成された歯付きの面を画定し、前記駆動リンクの前記歯付きの面の歯の端部は、前記駆動リンクの端部と共にインボリュート状の外形を形成するように延在していることを特徴とする連続ベルトスクリーン組立体。
【請求項２６】
チャネル内の流体から固体廃棄物を除去するための連続ベルトスクリーンシステムにおいて、
一対の離間した対向する軌道を備える支持構造と、
ベルトスクリーン組立体と、を備えており、
前記ベルトスクリーン組立体は、
各々が一対の軌道の一方に収容され複数の駆動リンクを備えており、前記各駆動リンクは各々２つの端部と歯とを有し各々の端部において開口部を画定し、一対となるように間隔を空けて対向しているエンドレスベルトと、
各々が一方のエンドレスベルトに係合する一端と、他方のエンドレスベルトに係合する別の端部とを含んでおり、隣接する駆動リンクを接続することで前記エンドレスベルトを形成する複数の軸ピンであって、各々の開口部が軸ピンを受けることで、一方のエンドレスベルトが前記軸ピンの一端に位置決めされ、他方のエンドレスベルトが、前記軸ピンの他端に位置決めされる複数の軸ピンと、
各々が前記軸ピンの１つに旋回可能に設置され、前記チャネル内の前記流体から固体廃棄物を持ち上げるように構成された複数のリフターであって、各々が歯を形成する起伏の付いた自由端を画定する複数のリフターと、
各々が一対のリフターの間に配置され、前記エンドレスベルトに作動可能に設置される複数のスクリーンパネルと、
駆動シャフトおよび歯車を回転させ、前記歯車が前記駆動リンクの前記歯と係合することで前記軌道内で前記エンドレスベルトを回転させるモータと、
ベルトスクリーン組立体によって画定される空間内のフリュームと、を備えており、
前記ベルトスクリーン組立体は、前記軌道の範囲内で回転し、前記リフター上に固体廃棄物を収集し、前記リフターは回転サイクルの頂点部分にあるときに反転して、前記固体廃棄物を前記フリュームへと落下させるように構成されていることを特徴とする連続ベルトスクリーンシステム。
【請求項２７】
チャネル内の流体から固体廃棄物を除去するための連続ベルトスクリーン組立体からスクリーンパネルを取り外す方法において、
前記連続ベルトスクリーン組立体は、連続ベルトスクリーンシステムの一部であり、前記連続ベルトスクリーンシステムは、
一対の離間した対向する軌道を備える支持構造と、
ベルトスクリーン組立体と、を備えており、
前記ベルトスクリーン組立体は、
各々が一対の軌道の一方に収容され、複数の駆動リンクを備え、前記ベルトスクリーン組立体の操作中に張力を受けており、内側面と外側面とを画定し、一対となるように間隔を空けて対向しているエンドレスベルトと、
各々が一方のエンドレスベルトに係合する一端と、他方のエンドレスベルトに係合する別の端部とを含んでおり、隣接する駆動リンクを接続することで前記エンドレスベルトを形成する複数の軸ピンと、
各々が前記軸ピンの１つに旋回可能に設置され、前記チャネル内の前記流体から固体廃棄物を持ち上げるように構成された複数のリフターであって、各々が前記軸ピンに平行であり前記リフターの対向する側にある２つのスロットを画定することで、隣接するリフターからのスロットが互いに向かって開放する複数のリフターと、
各々がある長さを有し、一対のリフターの間に配置され、前記リフターとの係合によって所定の場所に固定される複数のスクリーンパネルであって、前記スロット内で所定の場所に取外し可能に固定される複数のスクリーンパネルとを備えており、
当該方法は、
前記エンドレスベルトに対する張力を緩和させるステップと、
取り外すために前記スクリーンパネルの端部を露出すると共に前記リフターのスロットを前記スクリーンパネルから外すために、前記軸ピンを中心に前記ベルトスクリーン組立体の内側から離れる方向に、前記駆動リンクを回転させるステップと、
前記スクリーンパネルを前記スロットから取り外すステップと、
を含むことを特徴とする方法。
【発明の詳細な説明】
【技術分野】
【０００１】
［関連出願の相互参照］
本出願は、２０１３年６月３日に提出され「ＣＯＮＴＩＮＵＯＵＳ  ＢＥＬＴ  ＳＣＲＥＥＮ」というタイトルが付けられた米国特許仮特許出願６１／８３０，５１９号からの優先権を主張し、その内容はその全体が参照により本明細書に組み込まれる。
【０００２】
［発明の分野］
一般に、本明細書に開示される実施形態は、流体から固形廃棄物を抽出するためのシステムおよび方法に関する。より具体的には、このシステムおよび方法は、水、廃水、産業廃水、および固体廃棄物を含む他の流体の選別を対象としており、下流の処理プロセスを改善することができる。
【背景技術】
【０００３】
ベルトスクリーン組立体は、様々な都市および産業用に取り込み流体を濾過するのに利用される。流体は典型的には水または廃水であるが、他の流体も濾過することができる。流体はベルトスクリーン組立体を通過し、ベルトスクリーン上のスクリーンパネルにある穿孔のサイズを超えるいずれの細片もベルトスクリーンの内側の面に保持される。ベルトスクリーンは、上向きに進み、その頂点において、または頂点付近において、細片がスクリーンから落下することができるように構成されている。ベルトスクリーンはその後、清浄システムを通って進み、そこに付着する残りの物質を除去する。
【０００４】
ベルトスクリーン組立体のスクリーンパネルは時には、修理する必要がある、あるは修理またはメンテナンス工程のために取り外す必要がある。ベルトスクリーン組立体は、それらを併せて結合するために相互接続要素を必要とする１セットの個別のスクリーンパネルを含む場合がある。個々のスクリーンパネルまたはベルトスクリーン組立体の他の要素の交換または取り外しは、作動のその場所に（チャネルである可能性がある）設置された設備によって行なうことが不可能である場合もあり、システム全体の取り外しおよび長期間の停止事態を必要とすることが多い。
【発明の概要】
【０００５】
本明細書に開示される一実施形態によって、チャネル内の流体から固体廃棄物を除去するための連続ベルトスクリーン組立体が提供される。組立体は、一対の離間した対向するエンドレスベルトと、複数のリフターと、複数のスクリーンパネルとを含む。各々のリフターは、一対のベルトに作動可能に設置され、チャネル内の流体から固体廃棄物を持ち上げるように構成される。各々のスクリーンパネルは、一対のリフターの間に配置され、リフターと係合することによって所定の場所に固定される。
【０００６】
いくつかの実施形態において、および上記の実施形態との組み合わせにおいて、複数の軸ピンがエンドレスベルトの間に延在しており、各々の軸ピンは２つの端部を有し、少なくとも１つのリフターが各々の軸ピンに旋回（枢動）可能に設置される。一部のこのような実施形態では、各々のリフターは、軸ピンに平行でありリフターの対向する側にある２つのスロットを画定することで、隣接するリフターからのスロットが互いに向かって開放し、複数のスクリーンパネルが、スロット内に収容されることで所定の場所に固定される。一部のこのような実施形態では、スクリーンパネルは、スロットの壁によって物理的に遮られることによってスロット内で所定の場所に固定される。いくつかの実施形態において、および上記の実施形態のいずれかとの組み合わせにおいて、スクリーンパネルは、エンドレスベルトに対する張力を緩め、リフターおよびスクリーンパネルを操作することによって、スロットから解放させることができる。
【０００７】
いくつかの実施形態において、および上記の実施形態のいずれかとの組み合わせにおいて、各々のエンドレスベルトは、各端部において開口部を各々画定する複数の駆動リンクを備え、各々の開口部が軸ピンを受けることで、一方のエンドレスベルトが、各々の軸ピンの一端に位置決めされ、他方のエンドレスベルトが各々のそれぞれの軸ピンの他端に位置決めされる。一部のこのような実施形態において、各々の駆動リンクは、エンドレスベルトの回転を生じさせるために歯付きの駆動歯車と係合するように構成された歯付きの面を画定し、駆動リンクの歯付きの面の歯の端部は、インボリュート状の外形を画定するように延在している。
【０００８】
いくつかの実施形態において、および上記の実施形態のいずれかとの組み合わせにおいて、組立体は、２つの端部を有する複数のベルトリンクを有し、各々のベルトリンクの端部は、隣接する軸ピンに各々設置される。各々のベルトリンクは、それぞれのベルトリンクが設置される軸ピンに実質的に直交する。一部のこのような実施形態において、各々の軸ピンを旋回するように係合した状態で受ける複数のリフターが存在する。一部のこのような実施形態において、軸ピンに設置された隣接するリフターは、その間に配置されたベルトリンクの一端を有する。
【０００９】
いくつかの実施形態において、および上記の実施形態のいずれかとの組み合わせにおいて、リフターは、軸ピンを受けるスリーブ部と、スリーブ部から延出し自由端において終端するパドル部とを含む。一部のこのような実施形態において、リフターのパドル部は、スリーブ部の反対側に起伏の付いた縁部を画定する。一部のこのような実施形態において、パドル部の起伏の付いた縁部は、歯を形成する。いくつかの実施形態において、および上記の実施形態のいずれかとの組み合わせにおいて、リフターは、ベルトスクリーン組立体が湾曲した経路の周りを進む際にたわむように構成された可撓性の材料を含む。一部のこのような実施形態において、可撓性の材料は、ショアＡ硬度計のおおよそ７０からおおよそ９０を有する。いくつかの実施形態において、および上記の実施形態のいずれかとの組み合わせにおいて、可撓性の材料はポリウレタンである。
【００１０】
本明細書に開示される別の実施形態によって、チャネル内の流体から固体廃棄物を除去するための別の連続ベルトスクリーン組立体が提供される。組立体は、一対の離間した対向するエンドレスベルトと、複数のリフターと、複数のスクリーンパネルとを含む。各々のリフターは、一対のベルトに作動可能に設置され、チャネル内の流体から固体廃棄物を持ち上げるように構成され、リフターは各々、起伏の付いた自由端または縁部を画定する。各々のスクリーンパネルは、一対のリフターの間に配置され、エンドレスベルトに作動可能に設置される。一部のこのような実施形態において、リフターは各々、軸ピンを受けるスリーブ部と、スリーブ部から延出し、スリーブ部の反対側で自由端または縁部において終端するパドル部とを含み、各々の軸ピンは、一方のエンドレスベルトに係合する一端と、他方のエンドレスベルトに係合する別の端部とを含む。一部のこのような実施形態において、パドル部の起伏の付いた縁部は、歯を形成する。いくつかの実施形態において、および上記の実施形態のいずれかとの組み合わせにおいて、リフターは、ベルトスクリーン組立体が湾曲した経路の周りを進む際にたわむように構成された可撓性の材料を含む。一部のこのような実施形態において、可撓性の材料は、ショアＡ硬度計のおおよそ７０からおおよそ９０を有し、ポリウレタンであってよい。
【００１１】
本明細書に開示される別の実施形態によって、チャネルの流体から固体廃棄物を除去するための連続ベルトスクリーン組立体のためのリフターが提供される。リフターは、軸を受けるように構成されたスリーブ部と、スリーブ部から延出しスリーブ部の反対側で起伏が付いた端部または縁部を画定するパドル部とを含み、パドル部は、チャネル内の液体から固体廃棄物を持ち上げるように構成される。一部のこのような実施形態において、パドル部の起伏の付いた端部または縁部は歯を形成する。
【００１２】
本明細書に開示される別の実施形態によって、チャネル内の流体から固体廃棄物を除去するための別の連続ベルトスクリーン組立体が提供される。組立体は、複数の駆動リンクを備える一対の離間した対向するエンドレスベルトを含み、駆動リンクは各々２つの端部を有し、各々の端部において開口部を画定する。複数の軸ピンが設けられ、各々の軸ピンは、一方のエンドレスベルトに係合する一端と、他方のエンドレスベルトに係合する別の端部とを含む。複数の軸ピンは、隣接する駆動リンクに接続することでエンドレスベルトを形成し、各々の開口部が軸ピンを受けることで、一方のエンドレスベルトが各々の軸ピンの一端に位置決めされ、他方のエンドレスベルトが、各々のそれぞれの軸ピンの他端に位置決めされる。複数のリフターの各々が、軸ピンの１つに旋回可能に設置され、チャネル内の流体から固体廃棄物を持ち上げるように構成される。複数のスクリーンパネルが設けられ、各々のスクリーンパネルが一対のリフターの間に配置され、エンドレスベルトに作動可能に設置される。各々の駆動リンクが、エンドレスベルトの回転を生じさせるために歯付きの駆動歯車と係合するように構成された歯付きの面を画定し、駆動リンクの歯付きの面の歯の端部は、駆動リンクの端部と共にインボリュート状の外形を画定するように延在する。
【００１３】
本明細に開示される別の実施形態によって、チャネル内の流体から固体廃棄物を除去するための連続ベルトスクリーン組立体のための駆動リンクが提供される。駆動リンクは、２つの端部を有し、各々の端部において軸を受け隣接する駆動リンクに接続するように構成された開口部を画定する本体を含む。本体はさらに、接続された駆動リンクのエンドレスベルトの回転を生じさせるために歯付きの駆動歯車と係合するように構成された歯付きの面を画定する。駆動リンクの歯付きの面の歯の端部は、駆動リンクの端部と共にインボリュート状の外形を画定するように延在する。
【００１４】
本明細に開示される別の実施形態によって、チャネル内の流体から固体廃棄物を除去するための連続ベルトスクリーンシステムが提供される。システムは、一対の離間した対向する軌道を備える支持構造と、ベルトスクリーン組立体とを含む。ベルトスクリーン組立体は、一対の離間した対向するエンドレスベルトを含み、これは一対の軌道の一方に収容され、複数の駆動リンクを備えており、駆動リンクは各々２つの端部と、歯とを有し、各々の端部において開口部を画定する。複数の軸ピンが設けられ、各々の軸ピンは、一方のエンドレスベルトに係合する一端と、他方のエンドレスベルトに係合する別の端部とを含む。複数の軸ピンが、隣接する駆動リンクを接続することでエンドレスベルトを形成する。各々の開口部が軸ピンを受けることで、一方のエンドレスベルトが各々の軸ピンの一端に位置決めされ、他方のエンドレスベルトが、各々のそれぞれの軸ピンの他端に位置決めされる。複数のリフターが設けられ、各々のリフターが軸ピンの１つに旋回可能に設置され、チャネル内の流体から固体廃棄物を持ち上げるように構成され、リフターは各々、歯を形成する起伏の付いた自由端を画定する。複数のスクリーンパネルが設けられ、各々のスクリーンパネルが一対のリフターの間に配置され、エンドレスベルトに作動可能に設置される。駆動シャフトおよび歯車を回転させるためにモータが設けられ、歯車が駆動リンクの歯と係合することで軌道内でエンドレスベルトを回転させる。フリュームがベルトスクリーン組立体によって画定される空間内に設けられる。ベルトスクリーン組立体は、軌道の範囲内で回転し、リフター上に固体廃棄物を収集し、リフターは回転サイクルの頂点部分にあるときに反転して、固体廃棄物をフリュームへと落下させるように構成される。
【００１５】
本明細に開示される別の実施形態によって、チャネル内の流体から固体廃棄物を除去するための連続ベルトスクリーン組立体からスクリーンパネルを取り外す方法が提供され、この場合連続ベルトスクリーン組立体は、連続ベルトスクリーンシステムの一部である。連続ベルトスクリーンシステムは、一対の離間した対向する軌道を備える支持構造と、ベルトスクリーン組立体とを含む。ベルトスクリーン組立体は、一対の離間した対向するエンドレスベルトを含み、その各々が一対の軌道の一方に収容され、複数の駆動リンクを含んでいる。エンドレスベルトは、最初は張力を受けており、内側面と外側面とを画定する。複数の軸ピンが設けられ、各々の軸ピンは、一方のエンドレスベルトと係合する一端と、他方のエンドレスベルトに係合する別の端部とを含み、複数の軸ピンが隣接する駆動リンクを接続することでエンドレスベルトを形成する。複数のリフターが設けられ、各々のリフターは、軸ピンの１つに旋回可能に設置され、チャネル内の流体から固体廃棄物を持ち上げるように構成される。各々のリフターは、軸ピンに平行でありリフターの対向する側にある２つのスロットを画定することで、隣接するリフターからのスロットが互いに向かって開放する。複数のスクリーンパネルが設けられ、各々のスクリーンパネルは、ある長さを有し、一対のリフターの間に配置され、リフターとの係合によって所定の場所に固定される。複数のスクリーンパネルは、スロット内で所定の場所に固定される。方法は、エンドレスベルトに対する張力を緩和させるステップを含む。スクリーンパネル、駆動リンクおよびスクリーンパネルを受けるスロットを画定するリフターが、エンドレスベルトの内側に向かう方向に回転されることで、スロットを内側に向けて回転させる。スクリーンパネルはスロットから取り外される。
【００１６】
より完全に理解するために、次に添付の図面に示され以下に記載される実施形態を参照されたい。
【図面の簡単な説明】
【００１７】
【図１】本発明の一実施形態による連続ベルトスクリーンシステムの斜視図である。
【図２】図１の連続ベルトスクリーンシステムの前方入口の図である。
【図３】図１の連続ベルトスクリーンシステムの側面図である。
【図４】図１の連続ベルトスクリーンシステムの後方図である。
【図５】図１の連続ベルトスクリーンシステムの分解組立図である。
【図６】図１の連続ベルトスクリーンシステムのベルトスクリーン組立体の下部内側面を示す図である。
【図７】図１の連続ベルトスクリーンシステムの上部内側面を示す図である。
【図８】図５のベルトスクリーン組立体の前方図である。
【図９】図５のベルトスクリーン組立体の側面図である。
【図１０】図５のベルトスクリーン組立体の一部の分解組立図である。
【図１１】図５のベルトスクリーン組立体の隣接するように結合された駆動リンクの前方図である。
【図１２】図５のベルトスクリーン組立体の隣接するように結合された駆動リンクと、対応付けられたリフターと、ワイパーブレードのクローズアップした前方図である。
【図１３】図５のベルトスクリーン組立体の隣接するように結合された駆動リンクの部分断面図である。
【図１４】図５のベルトスクリーン組立体の一方の駆動リンクの斜視図である。
【図１５】図１３の駆動リンクの前方図である。
【図１６】図１３の駆動リンクの側面図である。
【図１７】図１３の駆動リンク別の前方図である。
【図１８】図１７の線１８−１８に沿って切り取った図１３の駆動リンクの断面図である。
【図１９】図５のベルトスクリーン組立体の一部の斜視図である。
【図２０】図５のベルトスクリーン組立体のスクリーンパネルの平面図である。
【図２１】図２０のスクリーンパネルのスクリーンパネル穿孔のクローズアップした図である。
【図２２】図５のベルトスクリーン組立体のリフターの斜視図である。
【図２３】図２２のリフターの前方斜視図である。
【図２４】図２２のリフターの後方斜視図である。
【図２５】図２２のリフターの頂面図である。
【図２６】図２２のリフターの底面図である。
【図２７】図２２のリフターの前方図である。
【図２８】図２２のリフターの側面図である。
【発明を実施するための形態】
【００１８】
本発明の実施形態を添付の図面を参照して以下でより完全に記載するが、そこでは全てではなく一部の実施形態が示されている。当然のことながら、本発明は、多くの異なる形態で具現化することができ、本明細書に記載される実施形態に限定されるように解釈すべきではなく、むしろこれらの実施形態が提供されることで、本開示は、適用可能な法的要件を満たすことができる。異なる構造および作動を有する他の実施形態も、本開示の範囲から逸脱するものではない。同様の数字は、全体を通して同様の要素を示す。
【００１９】
特定の専門用語は、本明細書において単に簡便化するために使用されており、記載される実施形態に対する限定として採るべきではない。例えば、「頂部」、「底部」、「上部」、「下部」、「左」、「右」、「水平方向」、「垂直方向」、「側方」、「上方」および「下方」などの単語は単に、図面に示される構成または設置される位置における部品の配向を記述するものである。当然のことながら、参照される構成要素は、いずれの方向にも配向される可能性があり、したがって専門用語は、そうでないことが特定されなければこのような変形形態を包含するように理解すべきである。プロセスまたは方法が示され記載される本開示を通して、方法が最初に行なわれる特定の動作によって決まることが文脈から明らかでなければ、方法は、任意の順番でまたは同時に行なわれる可能性がある。
【００２０】
可能であれば、記載されるおよび／または本明細書で企図される実施形態のいずれかの利点、特徴、機能、デバイスおよび／または実用可能な態様のいずれも、本明細書に記載されるまたは企図される他の実施形態のいずれかに含まれる場合もあることを理解されたい。加えて、場合によって本明細書の単数形態で表現されるいずれの用語も、そうでないことが明らかに述べられなければ複数形態も含めることが意図されており、逆もまた同様である。したがって用語「ａ」および「ａｎ」は、「１つまたは複数の」を意味する。
【００２１】
本明細書で使用されるように、用語「流体」は、いずれのタイプの液体も指す可能性があり、これに限定するものではないが水、廃水、未処理水、処理水、均質混合物、不均質な混合物、汚泥、汚水、油、潤滑剤、あるいは何らかの種類の固体廃棄物、例えば細片、汚泥、鉱物、微砂、泥、汚水、砂、汚染物質、葉または別の同様の非液体物質などを含む可能性のある他の同様の液体が含まれる。このような用語は、互いに代用することができ、全体を通して相互交換できるように使用されてよい。
【００２２】
特定の連続ベルトスクリーンまたは進行バンドスクリーンは、元々はＪｏｈｎｓｏｎ Ｓｃｒｅｅｎｓ社から、現在はＢｉｌｆｉｎｇｅｒ Ｗａｔｅｒ Ｔｅｃｈｎｏｌｏｇｉｅｓ社からのＣｅｎｔｒｅ-Ｆｌｏ Ｂａｎｄ Ｓｃｒｅｅｎである（ＣＥＮＴＲＥ-ＦＬＯは、Ｂｉｌｆｉｎｇｅｒ Ｗａｔｅｒ Ｔｅｃｈｎｏｌｏｇｉｅｓ社の商標である）。 Ｃｅｎｔｒｅ-Ｆｌｏのモジュール式の設計は、選別、搬送および排水作業を単一の設置し易いユニットに統合する。流入水がチャネル内のインラインに進入し、半ば沈められたスクリーンは、それがさらなる処理のために連続して移動するスクリーンベルトを通り抜けて流れる際も９０度の方向の変更を受ける。洗浄液散布システムが、流入水の流れに呈されるスクリーンの面を清浄する。再循環した排出水が、好適であれば、散布水として使用される場合もあり、作動コストの削減につながる可能性がある。スクリーンによって捕捉された固体は、リフターの助けを借りて搬送され、排出フリュームに落下される。水または再循環排水を使用して、選別物をフリュームから、例えばねじプレスコンパクターなどによって実現され得る別の処理のために移動させ、そこでそれらは流出され、排出の前にコンパクトにされる。再循環フリューム水はさらに、選別された固体を有機物から洗い流し、これは下流のねじプレス機器を介してチャネルに戻されてよい。これは、有機／無機固体分離を改善させ、さらなる洗浄の必要性を無くし、廃棄コストを下げることができる。
【００２３】
本明細書に開示される実施形態は、様々な都市のおよび産業目的で取り込み流体を濾過する連続ベルトスクリーンシステムを対象としており、Ｃｅｎｔｒｅ-Ｆｌｏ  Ｂａｎｄ Ｓｃｒｅｅｎならびに他の連続ベルトスクリーンおよびたいていの連続ベルトシステムに適用可能であり得る。流体は、ベルトスクリーン組立体を通過することができ、これはスクリーンパネルの内側面に寄せるようにスクリーンパネルにある穿孔のサイズを超えるいかなる細片も保持することができる。ベルトスクリーン組立体が、モータによって駆動される駆動リンクを介して回転されることで、保持される細片が、ベルトスクリーン組立体に結合されたリフターによって垂直方向に持ち上げられる。ベルトスクリーン組立体は連続して回転し続け、これによりリフターが、ベルトの回転サイクルの頂点において反転し、有効な抽出のためにフリューム内に保持した細片を空ける。ベルトスクリーン組立体はその後、清浄システムを通過して進み、スクリーンの内側面から残った細片を取り除くことでスクリーンパネルの清潔さが流動する流体の経路内で保持される。
【００２４】
システム１００を見ることができるように側壁９４の一部が取り外されている図１に示されるように、床９２と、直立する側壁９４とによって形成されたチャネル９０が、連続ベルトスクリーンシステム１００を収容することができる。連続ベルトスクリーンシステム１００はこれにより、チャネル９０内に配設され、床９２および側壁９４に設置され、チャネル９０は、流体をそこに誘導することができる。連続ベルトスクリーンシステム１００は、既存のチャネル９０にレトロフィットさせるまたは新たに構築されたチャネル９０内に配設させることができ、様々なチャネルの寸法（例えば幅および深さ）および水力要件に対応するように構成することができる。流体流れ１０１は、チャネル９０から連続ベルトスクリーンシステム１００の内部へと進むことができ、スクリーンの内部からスクリーンの外部の方向でスクリーンを通過し、組立体の後部から出ていくことによって選別することができる。
【００２５】
システム１００に関する支持構造の一実施形態は、底部組立体１０４に対しておよびその上に設置された頂部組立体１０２を含む場合がある。底部組立体１０４は、ベース１０６、流れダイバータ１０８、前方フレーム組立体１１０、後方フレーム組立体１１２、水平方向の横筋交い１１６、角度付きの横筋交い１１８および囲い部１２０を含むことができる。頂部組立体１０２および底部組立体１０４は、連続ベルトスクリーン組立体１３０を位置決めし、作動を可能にするように構成される。スクリーン組立体１３０の特定の機構は、明確にするために図１から図５では省略されている。
【００２６】
いくつかの実施形態において、ベース１０６が、チャネル床９２に設置されてよい。図１から図５に示されるベース１０６は、ほぼ矩形の平坦な面、例えばフレーム（図１から図４）またはプレート（図５）を含む場合があり、これは、チャネル９０の床９２に設置されるように構成されている。底部組立体１０４の寸法は、チャネル９０の寸法に応じて必要に応じて変動する可能性がある。２つの流れダイバータ１０８は各々、側壁９４の対向する垂直方向の面に設置されてよく、これにより流体の流れ１３０を連続ベルトスクリーンシステム１００の内部に誘導する。ベース１０６および流れダイバータ１０８は、チャネル挿入ガイドプレート組立体を構成することができ、これは、システム１００の残りの部分を収容し整列させることでベース１０６の上に載り、装着されずに流れダイバータ１０８と摺動式に係合するガイド機構を含むことができる。一実施形態において、床９２およびチャネル９０の側壁９４に装着される唯一の機構はベース１０６と、流れダイバータ１０８であり、作業員がチャネル９０に入る必要なしにシステム１００の残りをチャネル９０および／または底部組立体１０４から完全に取り外すことを可能にし、一部の潜在的な限られた空間問題をなくす。
【００２７】
締結されるべき構成要素は典型的には、１つまたは複数の締め具を受けるように構成された１つまたは複数の穴を含み、これらの締め具（例えばボルト、ねじ、ピン、支柱、ワイヤ、リベットなど）は図面には示されていない。ガスケット、接着剤、シーラント、充填材、コンクリート、セメント、エポキシ、溶接部または硬化剤などの物質を使用することで、連続ベルトスクリーンシステム１００全体を通して様々な場所における用途に基づいて所望されるように機構を密閉および結合することもできる。
【００２８】
ベース１０６の水平方向の平坦な面から上向きに、および好ましくは実質的に垂直方向に延在するのは、図１から図５に示されるように前方フレーム組立体１１０と、後方フレーム組立体１１２である。前方フレーム組立体１１０は、チャネル９０内で上流（接近する流れ１０１に向かう）に向いており、後方フレーム組立体１１２は、反対側または下流側にある。前方フレーム組立体１１０および後方フレーム組立体１１２は各々、２つの離間した垂直部材１３４（例えばチャネル、梁または他の剛性の長さのもの）を含んでおり、これは連続ベルトスクリーンシステム１００を支持し、それに対する構造体を提供するように構成されている。前方フレーム組立体１１０は、スクリーン組立体１３０に対する入口である細長い開口１３６を画定し、後方フレーム組立体１１２は、スクリーン組立体１３０の後ろ側を通る流れを封鎖する壁１３８を含む。
【００２９】
前方ベースフレーム組立体１１０および後方ベースフレーム組立体１１２は各々底部において、図１、図２および図４から図６に描かれるように軌道１４０に適合する丸められた部分、例えば半円を含む。軌道１４０は、スクリーン組立体１３０を受け、その回転を可能にするように構成された回転誘導面として機能する。軌道１４０は、スクリーン組立体１３０の垂直方向および水平方向の位置決めを精密に制御するために表面が硬化された高い耐摩耗性のガイドバーを含む。軌道１４０は、前方フレーム組立体１１０および後方フレーム組立体１１２の内側の面に位置決めされ、前方および後方フレーム組立体１１０、１１２の垂直部材の各々に沿って垂直方向に伸び、前方および後方フレーム組立体１１０、１１２の丸められた部分の底部の各々まで下がることができる。各々の軌道１４０は、一体式のベルトシーリング１４２によって覆われる場合があり、これは、軌道１４０に沿って細片が蓄積しないように回転するスクリーン組立体１３０を保護する連続するリップシールである。後方フレーム組立体１１２内で軌道１４０によって形成される形状は、垂直方向に延長した「Ｕ字」型に独立して似ており、頂部フレーム組立体１１０において軌道１４０は、より短い「Ｕ字」型に似ている可能性がある。
【００３０】
前方フレーム組立体１１０および後方フレーム組立体１１２の高さおよび幅は、チャネル９０の寸法に基づいて変動する可能性がある。前方フレーム組立体１１０および後方フレーム組立体１１２は、複数の水平方向の横筋交い１１６および角度付きの横筋交い１１８と結合される場合があり、これらは、図１および図３に最も明確に示されるように垂直方向に離間され、各々の端部において垂直部材１３４に締結されてよい。
【００３１】
また、図１、図２および図４から図６に図示されるように、前方フレーム組立体１１０および後方フレーム組立体１１２はまた、下部摩耗リング１４４を各々含む場合があり、これは、摩耗する高い可能性を持っている前方および後方フレーム組立体１１０、１１２にある１つまたは複数の領域に挿入される交換可能なインサートであり、下部摩耗リング１４４は、前方フレーム組立体１１０および後方フレーム組立体１１２の各々の丸められた下部の外側面に結合されてよい。いくつかの実施形態において、下部摩耗リング１４４は、ベルトスクリーンシステム１００がその設置位置に在る状態で取り外され交換することができるため、システム１００をチャネル９０から取り外す必要がない。
【００３２】
いくつかの実施形態において、シートまたは他の薄い平坦な材料であり得る囲い部１５０が、前方フレーム組立体１１０および後方フレーム組立体１１２の外側面に設置される場合もある。図１から図５に示される収容部１５０は、前方および後方フレーム組立体１１０、１１２の頂部から下方に延在し、連続ベルトスクリーンシステム１００の上部を囲むことができる。図５に示されるように、囲い部１５０はさらに、４つの突出した到達可能なロック式のジャックねじ継手を含むベルト引っ張り装置１５２を含み、１つのねじが前方および後方フレーム組立体１１０、１１２の頂部の各々の角にあり、頂部組立体１０２と接続し、頂部組立体１０２を底部組立体１０４に対して垂直方向に調節することを可能にする。ベルト引っ張り機構１５２のねじ継手を回転させることによって、頂部組立体１０２を上下させ、ベルトスクリーン組立体１１２が進む軌道１１０の長さを増減させる。この点において、ベルトスクリーン組立体１３０の張力は、容易に増減させることができる。
【００３３】
２つの設置部材１５４がこの実施形態ではアングル材として示されており、図１から図４に見られるように頂部組立体１０２および／または前方フレーム組立体１１０および後方フレーム組立体１１２の各々の頂部に設置することができる。一方の設置部材１５４は、連続ベルトスクリーンシステム１００の上流の側で入口側に位置決めされてよく、第２の設置部材１５４は、連続ベルトスクリーンシステム１００の下流および後方に位置決めされてよい。設置部材１５４は、チャネル９０にまたがり、側壁９４の頂部面に設置することができ、連続ベルトスクリーンシステム１００が適切なほぼ垂直な位置合わせを維持し、チャネル９０および任意の周辺の下部構造の支持システム内でしっかりと結合されたままであることを保証することができる。
【００３４】
頂部組立体１０２は、ベルトスクリーン組立体１３０の頂部を囲い、連続ベルトスクリーンシステム１００の作動中の漏れ止めを最大限にするように設計された４つの側部と頂部とを備えた筐体として機能することができる。頂部組立体１０２は、開放した底部を介してベルトスクリーン組立体１３０を受けるように構成されている。
【００３５】
ベルトスクリーン組立体１３０は、頂部組立体１２６の内側面に含まれる半円の軌道１４０を介して頂部組立体１０２に作動可能に結合する。頂部組立体にある軌道１４０は、図２、図５および図７に示されるようにベルトスクリーン組立体１３０を受け、底部組立体１０４の軌道１４０と実質的に整列した状態になるように構成される。頂部組立体１０２に含まれる軌道１４０は典型的には、一方の軌道１４０は頂部組立体１０２の前方側（例えば底部組立体１０４に流れ込むために入口を備えた上流側）に位置決めされ、第２の軌道１４０は、頂部組立体１０２の後方側（例えば反対側、下流側）に位置決めされる。頂部組立体１０２の各々の軌道１４０は、一体式のベルトシーリング（図示せず）も含む場合があり、実質的に逆さまの「Ｕ字」型に似ている場合がある。頂部組立体１０２にある軌道１４０を前方および後方フレーム組立体１１０、１１２にある軌道１４０と位置合わせすることによって、ベルトスクリーン組立体１３０が伸張した楕円形の経路において軌道１４０に沿って継続して回転することが可能になる。
【００３６】
頂部組立体１０２はさらに、種々の要素が頂部フレーム組立体１０２の内部を通過するまたはその中に収容されることを可能にする複数の開口部（例えば、図１〜図５に示されるドア、スロット、穴、切欠き、ベントなど）を含む。例えば、頂部組立体１０２の頂部面は、フランジ付きの噴霧抽出出口１６０を含んでおり、これは、連続ベルトスクリーンシステム１００の作動中に生成されるいずれの噴霧も囲まれた頂部組立体１０２の外部に誘導するように構成されたベントとして機能する。頂部組立体１０２はまた、１つまたは複数のクイックリリース（ボルト締めされないフランジタイプ）のアクセスパネル１６２を含む場合がある。アクセスパネル１６２は、パネルサイズならびに点検およびメンテナンス要求のためのアクセスを最大限にするように設計されており、頂部組立体１０２の４つの側部全ての設けられる場合もある。
【００３７】
図１から図５に示されるように、頂部組立体１０２はまた、駆動組立体１６４を受けるように構成された開口部を含み、この駆動組立体には、スクリーン組立体１３０の回転を駆動するように構成されたモータ１６６が含まれる。駆動組立体１６４は、調節可能な軸ピンの位置決めを補助し、作動中のベルトスクリーン組立体１３０に作動可能に結合しこれを回転させるために頂部組立体１０２の内部へと延びる駆動シャフト１６８を含む。モータ１６６は、速度が可変であり、多方向性であってよい（例えば前方に作動することができ、多様な速度で反転することができる）。駆動組立体１６４はまた、２つの駆動歯車１７０を含み、すなわち一方はスクリーン組立体１３０の前方ループに作動可能に結合しこれと係合し、一方はスクリーン組立体１３０の後方ループに作動可能に結合しこれと係合する２つの駆動歯車１７０を含んでおり、駆動シャフト１６８に作動可能に結合されこれによって駆動される。駆動歯車１７０の各々は好ましくは、極めて低い摩擦のために、かつスクリーン組立体１３０の駆動リンク１７２に係合するためにインボリュート状の外形を有する。モータは、駆動シャフト１６８を回転させ、この駆動シャフトが駆動歯車１７０を回転させ、この駆動歯車が、スクリーン組立体１３０の駆動リンク１７２に係合し、これによりスクリーン組立体１３０を回転させる。
【００３８】
これに加えて、頂部組立体１０２は、頂部組立体１０２から前方および後方フレーム組立体１１０、１１２によって画定される連続ベルトスクリーンシステム１００の下部へと延び、頂部組立体１０２内の全ての開口部、ハッチおよび開口を密閉するための包括的なガスケット作用も行なう完全に入れ子式の内部の幅木（描かれない）を含んでいる可能性がある。
【００３９】
頂部組立体１０２はさらに、その４つの角の各々に持ち上げつまみ１７４を含む場合があり、このつまみによって、設置または取り外しの際にクレーンまたは他の持ち上げ装置によって頂部組立体１０２（およびしたがって、組み立てた際の連続ベルトスクリーンシステム１００）を安全に持ち上げることを可能にする。
【００４０】
フリューム１７８は、図３から図５に描かれる前方ベースフレーム組立体１０６の外側面の囲い部１５０に含まれる開口部１７９を通過することができる。フリューム１７８は、頂部組立体１０２の中に延出するように全体に傾斜が付けられ、それらが図６に見られるようにベルトスクリーン組立体１３０のベルトの回転サイクルの頂点においてリフター１８０によって持ち上げられ降ろされる際、固体を捕えるように構成されている。フリューム１７８は、傾斜が付けられることで捕えた固体が下方に流れ、安全かつ制御されたやり方で連続ベルトスクリーンシステム１００から出て行くことを可能にすることができる。捕えた固体は、フリュームから出て、コンベヤベルトまたは別の安全な固体廃棄物取り出し方法によって連続ベルトスクリーンシステム１００から取り出すことができる。フリューム１７８の設計は、ベルトスクリーン組立体１３０を出て行く固体の捕捉を最大限にするように最適化することができ、好ましくは最大の断面積と急勾配（例えば傾斜）を含むことで、固体の極端な流れ（例えば大きな体積）においても、固体の有効な除去を保証することができる。同一平面のノズル配管（図示せず）が、ベルトスクリーン組立体の固体落下軌道の後ろに完全に隠され、フリューム１７８に水または別の液体を噴霧することでフリューム１７８内に固体収集区域のキャッチポイントが形成されるのを阻止するように構成される。したがって連続ベルトスクリーンシステム１００からのフリューム１７８を介する固体の除去は、フリューム１７８上またはフリューム１７８内の固体の蓄積によって抑制されず、固体除去プロセスにおける清潔さおよび効率を高めることができる。
【００４１】
図６および図７は、スクリーン組立体１３０を横切るように設置された複数のリフター１８０を示している。リフター１８０は、図１から図５には明確にするために示されていない。図６において、図面は、後方フレーム組立体１１２および壁１３８に向かっており、ベルトの回転１８１は時計周りであり、図７では、図面は、ベルトスクリーン組立体１３０内から前方または上流であり、入口開口１３６から外を見ており、ベルトの回転１８１は反時計周りである。リフター１８０は、細片を捕捉し、持ち上げ、廃棄するために内向きに延在しており、図６は、頂部組立体１０２におけるサイクルの頂点を示しており、図７は、底部組立体１０４におけるサイクルの底部を示している。
【００４２】
後方フレーム組立体１１２はまた、図５に描かれるように１つまたは複数のベルト清浄スパージャ１８２を収容するように構成された開口部を含む場合がある。ベルト清浄スパージャ１８２は、ベルトスクリーン組立体１３０の全幅にわたって効率的な清浄をするように選択された噴霧ノズルを含むことができる。ベルト清浄スパージャ１８２は、場所の要件に適合するようにサイクルのオンオフに対して調節することできる。清潔さおよび円滑な機能性を最大限にするために、頂部組立体１０２における軌道１４０と係合する、または軌道によって収容されるまえに補助スパージャ１８４が駆動リンク１７２（ならびにベルトスクリーン組立体１３０の他の要素）の事前清浄面に設けられる場合もある。ベルト清浄スパージャ１８２は、指定された清浄サイクルにおいて使用されてよく、これは連続ベルトスクリーンシステム１００の作動モードの１つである。
【００４３】
頂部組立体１０２および底部組立体１０４は、それぞれの締め具を含んでおり、例えばステンレス鋼から作製することができるが、材料は、これに限定するものではないが流体およびその内容物に対する適切な剛性、強度および腐食耐性を含めた基準によってその用途に関してそれぞれ見合うように当業者によって選択されてよい。
【００４４】
ベルトスクリーン組立体１３０は、前方および後方フレーム組立体１１０、１１２および頂部組立体１０２の内側面内に位置する軌道１４０と係合し、軌道によって収容され、軌道に沿って回転するように構成される。ベルトスクリーン組立体１３０は、図８および図９に示され、図１０に一部が示される２つの平行なエンドレスループを形成するように併せて結合された複数の駆動リンク１７２を含む。
【００４５】
図１０は、複数のベルトリンク２００が軸ピン１９４（例えばナット、ロック、ピンなどの締め具を受けるように構成された２つの端部を有する円筒形のロッド）の長さに沿って設置されることで、隣接する駆動リンク１７２の適切な間隔を保証することを示している。典型的にはステンレス鋼または別の剛性の材料から作製されるが、各々のベルトリンク２００は、２つの開口を画定する本体を含むことができ、すなわち軸ピン１９４を受けるように各々構成された各々のベルトリンク１７２の各々の端部に１つずつの開口がある。軸ピン１９４を隣接する駆動リンク１７２の開口部に挿入するまたは固定することによって、２つの駆動リンク１７２は、互いに接続される。ベルトリンク２００によって、隣接する駆動リンク１７２が隣接する駆動リンク１７２に対して軸ピン１９４の周りで旋回することが可能になる。ベルトリンク１７２はまた、穿孔されたスクリーンパネル２１０のための支持を提供する場合もある。各々の軸ピン１９４が、軸ピン１９４の各々の端部に１つずつある２つの駆動リンク２００を適切に離間することで、駆動リンク１７２の２つの平行なループが、２つの駆動歯車１７０、ならびに頂部組立体１０２および底部組立体１０４の軌道１４０と整列する。各々の軸ピン１９４の長さは典型的には、ベルトスクリーン組立体１３０の幅を画定する。
【００４６】
駆動リンク１７２は、高密度のプラスチックまたは別の剛性材料から作製することができ、各々の端部において（図１４から図１８）オフセット接続部２２０を有することで、隣接する駆動リンク１７２を接続する際、（図１１から１３および図１９）ベルトスクリーン組立体１３０の回転面に平行な実質的に同一平面の対向する面を提供することができる。したがって各々の駆動リンク接続部２２０のオフセット距離および幅は、例えば隣接する駆動リンク１７２の幅の１／２であるため、隣接する駆動リンク１７２が併せて結合される際、２つの隣接する駆動リンク１７２の外側の面は互いに同一平面であり、これによりベルトスクリーン組立体１３０の軌道１４０に沿った円滑な回転を可能にする。
【００４７】
図１２に図示されるように、ベルトスクリーン組立体１３０はまたワイパーブレード２２２を含む。ワイパーブレード２２２は、これもベルトスクリーン組立体１３０に設置された支持体に設置されてよい。ワイパーブレード２２２は、ベルトスクリーン組立体１３０の内側面に適合した低密度のプラスチックワイパーであってよく、内向きに伸張するように構成されてよい。ワイパーブレード２２２の目的は、フリューム１７８の前縁および後縁を一掃しフリューム縁部の清潔さを維持することである。そのようにして、ベルトスクリーン組立体１３０がベルト回転サイクルの頂点まで回転される際、ワイパーブレード２２２は、ベルトスクリーン組立体１３０に結合されており、固体が経時的に蓄積する可能性のあるフリューム１７８の縁部をぬぐう。よって、フリューム１７８の縁部にあるいかなる蓄積した固体もフリューム１７８に入るように拭き取られて除去される、あるいは流体に戻されて後に除去される。
【００４８】
図８から図１９の駆動リンク１７２に関して示されるように駆動組立体１７４の駆動歯車１７０に係合する各々の駆動リンク１７２の表面にインボリュート状の外形が形成される場合がある。各々の駆動リンク１７２のインボリュート状の外形は、いくつかの実質的に三角形の頂点と、谷または歯２２４を含む場合がある。インボリュート状の外形は、歯２２４の端部にわたる湾曲部によって画定されてよく、これはその後、例えば駆動リンク１７２の各々の端部において実質的に円形になり得る湾曲部へと移行する。駆動歯車１７０の歯が、ベルトリンク１７２の歯２２４と係合することでベルトスクリーン組立体１３０の回転を生じさせる。
【００４９】
図１４から図１８に示されるように、各々の駆動リンク１７２は、２つの開口部２２６を含み、軸ピン１９４はこの開口部を通って、隣接する駆動リンク１７２を併せて接続するために通過するように構成されてよく、この軸ピンの周りで駆動リンク１７２が旋回することができる（図１０）。締め具（ナイロックナット、スペーサワッシャなど）が、図１６から図１８に示されるように各々の駆動リンク開口部２２６に対応付けられた領域２２８内で完全にひっこんだ場所に置かれることで、そうでければ露出する結合構成要素から細片キャッチポイントをなくす。
【００５０】
図１７および図１８は、駆動リンク１７２の一実施形態に関して何らかの寸法的な指示を与える。図１８における全体の長さＹは、２５０〜３００ｍｍ程であってよく、一実施形態では２７３ｍｍであり、開口部２２６の間の距離Ｘは、１５０〜２００ｍｍ程であってよく、一実施形態ではおおよそ１６０ｍｍである。インボリュート状の歯付きの面の直径Φ１は、１３００〜１４００ｍｍであってよく、一実施形態ではおおよそ１，３５０ｍｍである。各々のリンク１７２の接続部２２０の外側湾曲部の直径Φ２は、１００〜１３０ｍｍ程であってよく、一実施形態ではおおよそ１１２ｍｍであり、内側湾曲部の直径Φ３は、１００〜１３０ｍｍ程であってよく、一実施形態ではおおよそ１１３ｍｍであってよい。歯付きの面の反対側の面の直径Φ４は、１，１００〜１，２００ｍｍ程であってよく、一実施形態ではおおよそ１，１４０ｍｍである。
【００５１】
リフター１８０は、明確にするために図８および図９から省略されており、図１０および図１９における一実施形態では、矩形として示されるが、以下で考察されるように他の形状が提供される場合もあることに留意されたい。
【００５２】
スクリーン組立体のモジュール性が、図１９に示されている。１つの結果は、ベルトスクリーン組立体１３０全体を分解せずに、またはベルトスクリーン組立体１３０をその設置された位置から取り外さずにスクリーンパネル２１０を交換することができる点である。リフター１８０は、ベルトスクリーン組立体１３０内の所定の場所にスクリーンパネル２１０を物理的に閉じ込めるように構成される。対向する駆動リンク１７２が軸ピン１９４を中心にベルトスクリーン組立体１０３の内側から離れるような方向に適切に回転される際、軸ピン１９４を取り外さずにスクリーンパネル２１０を解放することができる。したがってベルトスクリーン組立体１３０は、このような回転およびスクリーンの交換を可能にするために駆動リンク１７２を単に緩めるだけでよい。ベルトスクリーン組立体１３０の張力は、ベルト引っ張り装置１５２および関連するジャック式ねじ継手（図１）を調節することによって頂部組立体１０２を下げることにより緩めることができる。通常の作動とは反対方向のスクリーンパネル２１０の旋回とは、スクリーンパネルを外向きに、すなわち未濾過の液体に隣接する内側面１９６から離して、濾過後の液体に隣接する外側面１９８に向かうように旋回させることを意味しており、これによりスクリーンパネル２１０を解放し交換を可能にする。
【００５３】
スクリーンパネル２１０の交換は、壁９４（図示せず）からチャネル９０にまたがるデッキからチャネル９０から外に出されて完了させることができる。既存のスクリーンパネルと相互に交換可能である代替のスクリーンパネルが設けられ、システム１００は、スクリーンパネル交換のコスト効果および効率的な方法を提供することができる。スクリーンパネル２１０は、ベルトスクリーン組立体１３０全体を分解せずに交換することができるため、メンテナンスによる停止時間が延びることがなくなる。
【００５４】
図２０および図２１を参照すると、スクリーンパネル２１０は、最適化されカスタマイズ可能な穿孔された穴２３０を備えた、例えば高い強度および／または高い耐久性のプラスチックで構築されてよい。各々のスクリーンパネル２１０は、流体の流れが穿孔された穴２３０を通過することを可能にするように設計され、その一方でスクリーンパネル２１０は、穿孔された穴２３０を通過するには大きすぎる流体中のいかなる固体も捕えるまたは保持する。スクリーンパネル２１０は、図１０および図１９に見られるようにモジュラー式であるように設計され、何らかの好みの代替のスクリーン媒体が適応される場合もある。スクリーンパネル２１０は、一実施形態において実質的に矩形の平坦な面であってよく、この面は、駆動リンク１７２の２つの平行なループと２つの隣接する軸ピン１９４の間に画定された空間に延在する。図２１に詳細に見られるスクリーンパネル２１０の穿孔された穴２３０は典型的には、スクリーンパネル２１０の端から端まで等しく離間され、等しくサイズが決められ（例えば１から６ミリメートルの直径の間）、まくれがない。
【００５５】
リフター１８０は、図２２から図２８に詳細に示される。複数のリフター１８０が、一実施形態において、軸ピン１９４の長さに沿って設置される。リフター１８０は各々、各々のリフター１８０の幅に沿って延在するスリーブ２３２によって形成される長手方向の開口部２３１、例えば長手方向軸に沿った円筒形の開口と、スリーブ２３２から延び軸ピン１９４およびスクリーンパネル２１０から離れるように延在するウェブまたはパドル部２３４とを画定する。示される実施形態において、リフター１８０は、別個の部分から成るスクリーンパネル２１０とは別の要素である。軸ピン１９４は、スリーブ２３２を通り抜けて供給されてよく、この実施形態に示されるように、スリーブ２３２および開口部２３１の一部に対して開放した側部を有する。軸ピン１９４の各々の端部は、ベルトスクリーン組立体１３０の各々の端部においてリフター１８０およびベルトリンク２００を過ぎて延びることで、駆動リンク１７２に対応付けられた開口部２２６に収容される。
【００５６】
自由端、すなわち本実施形態におけるリフターの自由縁部は、起伏が付けられている。この起伏が付いた自由端部または縁部２３６は、４つの実質的に三角形の歯２３８を画定しているが、他の数の歯または全く歯がないものも可能である。このような起伏形成および歯２３８によって固体廃棄物を効果的に掴み解放することを実現することができる。起伏形成は、三角形以外の異なる形状を採る場合もあり、パドル部２３４の形状は、直線の前縁を備えた矩形である場合もある。複数の強化機構がリフター１８０に設けられる。頂部面にスリーブ２３２から横方向に離れる方向に延びるリブ２３７がある。パドル部２３４の底部側は、垂直の強化リブ２４０を有することで、堅固な部品を設ける必要なしにさらなる強度を与えることができる。長手方向のリブ２４２が、スリーブ２３２に隣接するように設けられる場合もある。
【００５７】
リフター１８０の頂部および底部においてスリーブ２３２とパドル部２３４の間に、スクリーンパネル２１０の縁部を受けるためのスロット２５０が形成される。スクリーンパネル２１０が、隣接するリフター１８０の隣接するスロット２５０内に受けられる際、スクリーンパネル２１０は、いずれの締め具も使用せずにベルトスクリーン組立体１３０に固定され、スロット２５０の壁２５２がスクリーンパネル２１０を捕捉することで移動を抑制する。駆動リンク１７２を操作することによって、スロット２５０が回転され、ベルトスクリーン組立体１３０を分解せずにスクリーンパネル２１０が解放される。
【００５８】
ベルトスクリーン組立体１３０が軌道に沿って回転する際、リフター１８０は、流体内に入るように回転され、その後流体から出てくる。リフター１８０が流体から出る際、それらは流体中の固体を捕え、捕えた固体を流体から外に出すように持ち上げて抽出する。リフター１８０の高い頻度が、固体の迅速な除去を実現し、スクリーンパネルの表面の清潔さを保ち易くし、これによりスクリーンパネル２１０の穿孔２３０を高い流量が通過することを可能にする。
【００５９】
リフター１８０の形状は、それらがベルトスクリーン組立体１３０の回転と共に上向きに進む際、リフター１８０が実質的にスクリーンパネル２１０に直交するようなものである。ベルトの回転サイクルの頂点において、リフター１８０は反転され、いかなる捕捉した固体も重力によって、ならびにベルト清浄スパージャ１８２からの洗浄液によってフリューム１７８内に処分される。
【００６０】
リフター１８０は、図２２から図２８の実施形態に示されるように起伏が付いた縁部と組み合わせて低摩擦面を含む場合があり、これは変化する固体の収集に対して効果的な組み合わせを提供し、同時にリフター１８０がベルトの回転サイクルの頂点において反転する際に（例えばリフター１８０が反転し、固体をフリューム１７８へと解放する際）効果的に固体を解放することを実現することができる。
【００６１】
リフター１８０は、一実施形態において射出成型された硬いプラスチックである場合がある。あるいはそれらは、応力下に置かれた際、破損せずに曲がるように可撓性の材料から作製される場合もある。リフター１８０は、ベルトスクリーン組立体１３０が一対の軌道１４０の湾曲した部分の周りを進む際、たわむように構成された可撓性の材料から形成される場合もある。可撓性の材料は、例えば、ショアＡ硬度計のおおよそ７０から９０、より詳細には、ショアＡ硬度計のおおよそ８０を有する場合がある。材料は一実施形態では、ポリウレタンであってよい。
【００６２】
比較的安価で短い複数のリフター１８０を利用することは、リフター１８０が破損した場合、より大型でより高価なリフターまたはベルトスクリーン組立体１３０全体とは対照的に、小さな破損したリフター１８０のみを交換する必要があるため有利である。加えて、一部の他のシステムは、１つの部品としてそれらに組み込まれたリフターを有するスクリーンパネルを使用しており、そのためリフターが破損した場合、リフターと、有意により高価なスクリーンパネルの両方を交換する必要がある。
【００６３】
スクリーンパネル２１０に関連する極めて清潔な内側面およびリフター１８０（これは典型的には、連続ベルトスクリーンシステム１００の内部に延在する）は、ベルトの回転サイクルの頂点において解放しない固体および細片に対するキャッチポイントの大きさを大きく削減する。さらに、ベルトスクリーン組立体１３０上のリフター１８０の配置によって、穿孔されたスクリーンパネル２１０がベルトスクリーン組立体１３０の全長および幅に及ぶことを可能にするため、極めて高いスクリーンパネル開放面積を達成することが可能である。ベルトスクリーン組立体１３０上のリフター１８０の設計は、平坦な穿孔されたスクリーンパネル２１０を容易に受け入れる。したがってスクリーンパネル２１０を成型したり、流れの成形制約を取り除く必要がない。流れの制約なしに、スクリーンパネル２１０内の穿孔された穴２３０は、より近づけて一緒に配置することができるため、流体が中を通って流れることができるより大きな開放面積が可能になる。リフター１８０と駆動リンク１７２の構成要素を組み合わせることで、メンテナンス問題を緩和させ、同様の構成に対してデバイスの性能を高めることができる。
【００６４】
特定の例示の実施形態を記載し、添付の図面に示してきたが、このような実施形態は、広範な発明の単なる例示であり、それを制限するものではなく、様々な他の変更、組み合わせ、省略、修正および代替が上記の段落に記載されるものの他に可能であるため、本発明は、示され記載される特有の構造および構成に限定されないことを理解されたい。当業者は、本発明の範囲から逸脱することなく、正に記載される実施形態の種々の適合、修正および組み合わせを構成することができることを理解するであろう。したがって添付の特許請求の範囲の範囲内で、本発明は、本明細書に具体的に記載されるもの以外で実施される場合もあることを理解されたい。
【図１】
0006472095.tif 000002
【図２】
0006472095.tif 000003
【図３】
0006472095.tif 000004
【図４】
0006472095.tif 000005
【図５】
0006472095.tif 000006
【図６】
0006472095.tif 000007
【図７】
0006472095.tif 000008
【図８】
0006472095.tif 000009
【図９】
0006472095.tif 000010
【図１０】
0006472095.tif 000011
【図１１】
0006472095.tif 000012
【図１２】
0006472095.tif 000013
【図１３】
0006472095.tif 000014
【図１４】
0006472095.tif 000015
【図１５】
0006472095.tif 000016
【図１６】
0006472095.tif 000017
【図１７】
0006472095.tif 000018
【図１８】
0006472095.tif 000019
【図１９】
0006472095.tif 000020
【図２０】
0006472095.tif 000021
【図２１】
0006472095.tif 000022
【図２２】
0006472095.tif 000023
【図２３】
0006472095.tif 000024
【図２４】
0006472095.tif 000025
【図２５】
0006472095.tif 000026
【図２６】
0006472095.tif 000027
【図２７】
0006472095.tif 000028
【図２８】
0006472095.tif 000029